(57)【要約】【課題】より適切に使用することが可能なソファーカバーを提供する。【解決手段】ソファーカバーは、座面、背もたれ、および肘掛けを備えたソファーを覆う。ソファーカバーは、柱状または筒状の抜け止め部材２０を保持する保持部１０を備える。保持部１０は、ソファーカバーの本体を貫通する貫通孔１２を備える。抜け止め部材２０は、貫通孔１２に挿入されることで保持部１０に保持される。【選択図】図４
2019000470.tif 000002
【特許請求の範囲】
【請求項１】
使用者が座る座面と、前記座面の後部から上方に延びる背もたれと、前記座面の左右の各々から上方に延びる肘掛けとを備えたソファーを覆うソファーカバーであって、
柱状または筒状の抜け止め部材を保持する保持部を備え、
前記保持部は、前記ソファーカバーの本体を貫通する貫通孔を備え、
前記抜け止め部材は、前記貫通孔に挿入されることで前記保持部に保持されることを特徴とするソファーカバー。
【請求項２】
請求項１に記載のソファーカバーであって、
１つの前記保持部は偶数個の前記貫通孔を備え、
１つの前記抜け止め部材は、１つの前記保持部が備える偶数個の前記貫通孔に挿入されることで、前記保持部に保持されることを特徴とするソファーカバー。
【請求項３】
請求項１または２に記載のソファーカバーであって、
前記貫通孔は、前記ソファーカバーの本体に形成された直線状の切り込みであることを特徴とするソファーカバー。
【請求項４】
請求項１または２に記載のソファーカバーであって、
前記貫通孔は、柱状または筒状の前記抜け止め部材における、軸に垂直な断面の形状に対応する形状に形成されていることを特徴とするソファーカバー。
【請求項５】
請求項１から４のいずれかに記載のソファーカバーであって、
前記貫通孔の縁部を補強する補強部をさらに備えたことを特徴とするソファーカバー。
【請求項６】
請求項５に記載のソファーカバーであって、
前記補強部は、かがり縫いまたはまつり縫いによって形成されることを特徴とするソファーカバー。
【請求項７】
請求項５に記載のソファーカバーであって、
前記補強部は、金属、ゴム、および樹脂の少なくともいずれかによって形成されることを特徴とするソファーカバー。
【請求項８】
請求項５〜７のいずれかに記載のソファーカバーであって、
前記補強部と、前記貫通孔の周囲における前記ソファーカバーの本体の、色およびデザインの少なくとも一方が異なることを特徴とするソファーカバー。
【請求項９】
請求項１から８のいずれかに記載のソファーカバーであって、
前記ソファーカバーの本体の表面および裏面の、色およびデザインの少なくとも一方が異なることを特徴とするソファーカバー。
【請求項１０】
請求項１〜９のいずれかに記載のソファーカバーであって、
前記抜け止め部材をさらに備え、
前記抜け止め部材は、前記ソファーの表面に対する摩擦力を向上させる滑り止め部を外周面に備えたことを特徴とするソファーカバー。
【発明の詳細な説明】
【技術分野】
【０００１】
本開示は、座面、背もたれ、および肘掛けを有するソファーを覆うソファーカバーに関する。
【背景技術】
【０００２】
従来、ソファーを覆うソファーカバーが知られている。ソファーカバーによってソファーを覆うことで、ソファーの汚れおよび痛みが抑制される。また、使用者は、ソファーカバーを用いることで、ソファーの外観を好みの外観に変えることもできる。
【０００３】
しかし、ソファーカバーで覆われたソファーを使用者が使用すると、ソファーカバーがずれてしまう場合があった。座面と背もたれの間の隙間、および、座面と肘掛けの間の隙間にソファーカバーを押し込んで使用することも可能ではあるが、ソファーカバーの一部を隙間に押し込むだけでは、使用中にソファーカバーが簡単に隙間から抜け出てしまう場合が多い。
【０００４】
特許文献１に記載のソファーカバーは、カバー本体の裏側に、ゴムを有する伸縮可能な筒状バンドを備える。筒状バンドには、外周面に多数の凹凸が形成されたストッパー部材が装着される。筒状バンドに装着されたストッパー部材が、ソファーの隙間に差し込まれることで、ソファーカバーが隙間から抜け出ることが抑制される。
【先行技術文献】
【特許文献】
【０００５】
【特許文献１】特開２０１７−６４４２号公報
【発明の概要】
【発明が解決しようとする課題】
【０００６】
特許文献１のソファーカバーでは、ゴムを有する伸縮可能な筒状バンドを裏側に設ける必要があるので、構造が複雑である。また、使用者は、ストッパー部材を必ずソファーカバーの裏面側から筒状バンドに装着する必要があり、表側からストッパー部材を装着することは不可能である。よって、ストッパー部材を装着する作業が煩雑となり得る。さらに、使用者は、ソファーカバーの表裏を逆にして使用したい場合（つまり、リバーシブルとして使用したい場合）もある。しかし、特許文献１のソファーカバーの表裏を逆にして使用すると、ストッパー部材の外周面はソファーの表面に直接接触しないので、ストッパー部材がソファーの隙間から抜け出やすくなる。よって、特許文献１のソファーカバーは、リバーシブルとして使用することに適していない。
【０００７】
本開示の典型的な目的は、従来技術の課題の少なくとも１つを解決でき、より適切に使用することが可能なソファーカバーを提供することである。
【課題を解決するための手段】
【０００８】
本開示における典型的な実施形態が提供するソファーカバーは、使用者が座る座面と、前記座面の後部から上方に延びる背もたれと、前記座面の左右の各々から上方に延びる肘掛けとを備えたソファーを覆うソファーカバーであって、柱状または筒状の抜け止め部材を保持する保持部を備え、前記保持部は、前記ソファーカバーの本体を貫通する貫通孔を備え、前記抜け止め部材は、前記貫通孔に挿入されることで前記保持部に保持される。
【０００９】
本開示におけるソファーカバーは、簡易な構造で、且つ、より適切に使用することができる。
【図面の簡単な説明】
【００１０】
【図１】ソファーカバー１およびソファー５０の斜視図である。
【図２】抜け止め部材２０の斜視図である。
【図３】保持部１０の拡大平面図である。
【図４】使用者が本体の裏面Ｂ側から抜け止め部材２０を保持部１０に装着した状態を、裏面Ｂ側から見た斜視図である。
【図５】使用者が本体の表面側から抜け止め部材２０を保持部１０に装着した状態を、裏面Ｂ側から見た斜視図である。
【図６】変形例に係る保持部３０の拡大平面図である。
【発明を実施するための形態】
【００１１】
＜概要＞
本開示で例示するソファーカバーは、座面、背もたれ、および肘掛けを備えたソファーを覆う。ソファーカバーには、柱状または筒状の抜け止め部材を保持する保持部が設けられている。保持部は、ソファーカバーの本体を貫通する貫通孔を備える。抜け止め部材は、貫通孔に挿入されることで保持部に保持される。
【００１２】
本開示におけるソファーカバーは、簡易な構成で抜け止め部材を保持することができる。また、使用者は、ソファーカバーの表面側および裏面側のいずれの側からも、抜け止め部材を保持部に装着することができる。さらに、表面側および裏面側のいずれの側から抜け止め部材が保持部に装着されても、抜け止め部材の外周面の一部がソファーカバーの裏面側に露出される。従って、使用者は、本開示におけるソファーカバーをリバーシブルとして使用することも可能である。
【００１３】
１つの保持部は偶数個の貫通孔を備えていてもよい。１つの抜け止め部材は、偶数個の貫通孔に挿入されることで保持部に保持されてもよい。この場合、保持部は、柱状または筒状の抜け止め部材を、長手方向の中央部近傍を中心として対称に保持することができる。従って、奇数個の貫通孔によって１つの抜け止め部材が保持される場合に比べて、抜け止め部材が安定して保持される。
【００１４】
なお、１つの保持部は、２つの貫通孔によって１つの抜け止め部材を保持してもよい。この場合、抜け止め部材を対称に保持するための貫通孔の個数が最小となる。よって、使用者は、４つ以上の偶数個の貫通孔に１つの抜け止め部材を挿入する場合に比べて、抜け止め部材を容易に保持部に装着することができる。
【００１５】
ただし、１つの保持部が備える貫通孔の個数は適宜変更できる。例えば、１つの保持部は４つ以上の偶数個の貫通孔を備えていてもよい。この場合でも、抜け止め部材の保持は安定する。また、１つの抜け止め部材は、奇数個（例えば１つ）の貫通孔に挿入されることで保持されてもよい。
【００１６】
貫通孔は、ソファーカバーの本体に形成された直線状の切り込みであってもよい。この場合、貫通孔が目立ちにくいので、貫通孔によってソファーカバーの美感が低下することが抑制される。
【００１７】
貫通孔の形状は、柱状または筒状の抜け止め部材における、軸に垂直な断面の形状に対応していてもよい。この場合、使用者は、より容易に抜け止め部材を貫通孔に挿入することができる。
【００１８】
なお、抜け止め部材の断面形状と貫通孔の形状は、完全に一致している必要は無い。例えば、抜け止め部材が円柱状または円筒状である場合、貫通孔の形状は、円形であってもよいし楕円形であってもよい。また、抜け止め部材が正四角柱である場合、貫通孔の形状は、正方形であってもよいし長方形であってもよい。また、抜け止め部材の断面積と貫通孔の断面積も、完全に一致している必要は無い。
【００１９】
ソファーカバーは、貫通孔の縁部を補強する補強部をさらに備えていてもよい。この場合、貫通孔の周囲におけるソファーカバー本体の強度の低下が適切に抑制される。
【００２０】
補強部は、かがり縫いまたはまつり縫いによって形成されてもよい。この場合には、補強部を金属等によって形成する場合に比べて、ソファーカバーの洗濯等が容易である。また、製造コストの増加も抑制される。
【００２１】
なお、かがり縫いまたはまつり縫いの具体的な方法も適宜選択できる。例えば、かがり縫いによって菊穴が形成されてもよい。この場合、貫通孔の強度がさらに増加する。
【００２２】
補強部は、金属、ゴム、および樹脂の少なくともいずれかによって形成されてもよい。この場合、貫通孔の強度が適切に増加する。また、鳩目部材を装着するだけで貫通孔が補強されるので、製造も容易である。
【００２３】
補強部と、貫通孔の周囲におけるソファーカバー本体の、色およびデザインの少なくとも一方が異なっていてもよい。この場合には、補強部とソファーカバー本体の色およびデザインが同じ場合に比べて、使用者は貫通孔の位置を把握し易い。従って、使用者は、より容易に抜け止め部材を保持部に装着することができる。なお、補強部は、抜け止め部材と共にソファーの隙間に差し込まれるので、ソファーカバーの使用時には、補強部によってソファーの美感が損なわれることは無い。
【００２４】
ただし、補強部とソファーカバー本体の色およびデザインは同じであってもよい。この場合、保持部および抜け止め部材を用いてソファーカバーをソファーに固定しない場合でも、貫通孔によってソファーの美感が損なわれることが抑制される。
【００２５】
ソファーカバー本体の表面および裏面の、色およびデザインの少なくとも一方が異なっていてもよい。本開示におけるソファーカバーによると、表面および裏面のいずれが表側にして使用された場合でも、保持部および抜け止め部材によってソファーカバーのずれが抑制される。従って、使用者は、好みの色およびデザインの面を表側にしつつ（つまり、リバーシブルとして）、適切にソファーカバーを使用することができる。
【００２６】
ただし、ソファーカバーはリバーシブルとして使用されなくてもよい。この場合でも、使用者は容易に抜け止め部材を保持部に装着することができる。
【００２７】
ソファーカバーは抜け止め部材を備えていてもよい。抜け止め部材は、ソファーの表面に対する摩擦力を向上させる滑り止め部を外周面に備えていてもよい。前述したように、表面側および裏面側のいずれの側から抜け止め部材が保持部に装着されても、抜け止め部材の外周面の一部がソファーカバーの裏面側に露出される。従って、抜け止め部材の外周面に滑り止め部が設けられることで、表面側および裏面側のいずれの側から抜け止め部材が保持部に装着された場合でも、抜け止め部材がソファーの隙間から抜け出る可能性はさらに低下する。
【００２８】
なお、滑り止め部の具体的な構成は適宜選択できる。例えば、滑り止め部は多数の凹凸であってもよい。また、ソファーの表面に対する摩擦力が高い物質（例えば、発泡性樹脂またはゴム等）によって、滑り止め部が構成されてもよい。
【００２９】
＜実施形態＞
以下、本開示における典型的な実施形態について、図面を参照して説明する。以下の説明では、図１における紙面左下側をソファーカバー１およびソファー５０の前側、紙面右上側をソファーカバー１およびソファー５０の後側、紙面左上側をソファーカバー１およびソファー５０の右側、紙面右下側をソファーカバー１およびソファー５０の左側とする。
【００３０】
図１を参照して、本実施形態のソファーカバー１で覆うことが可能なソファー５０の構造の一例について説明する。ソファー５０は、座面５１、背もたれ５２、右肘掛け５３Ｒ、および左肘掛け５３Ｌを備える。座面５１は、使用者が座る部位であり、使用者を下方から支持する。背もたれ５２は、座面５１の後部から上方に延びる部位であり、使用者を後方から支持する。右肘掛け５３Ｒおよび左肘掛け５３Ｌ（まとめて「肘掛け５３Ｒ，５３Ｌ」という場合もある）は、座面５１の左右の各々から上方に延びる。
【００３１】
座面５１と背もたれ５２の間には、隙間５５が形成される。隙間５５は、ソファー５０の左右方向に延びる。座面５１と右肘掛け５３Ｒの間には、隙間５６Ｒが形成される。また、座面５１と左肘掛け５３Ｌの間には、隙間５６Ｌが形成される。隙間５６Ｒおよび隙間５６Ｌは、ソファー５０の前後方向に延びる。
【００３２】
図１を参照して、本実施形態のソファーカバー１の概略構成について説明する。本実施形態のソファーカバー１の本体は、伸縮性を有する生地（例えば、ポリエステル繊維、またはポリウレタン繊維等による生地）で形成されている。ただし、ソファーカバー１の本体の少なくとも一部が、伸縮性が低い素材で形成されていてもよい。本実施形態のソファーカバー１は、座面カバー部２、背もたれカバー部３、右肘掛けカバー部４Ｒ、および左肘掛けカバー部４Ｌを備える。
【００３３】
座面カバー部２は、ソファー５０の座面５１の上面を覆う。背もたれカバー部３は、少なくともソファー５０の背もたれ５２の前面を覆う。詳細には、本実施形態の背もたれカバー部３は、背もたれ５２の前面、上面、後面、および左右の側面の上部を覆うことができる。右肘掛けカバー部４Ｒは、少なくともソファー５０の右肘掛け５３Ｒの内側（左側）の側面を覆う。詳細には、本実施形態の右肘掛けカバー４Ｒは、右肘掛け５３Ｒの内側面、外側面、上面、前面、および後面を覆うことができる。左肘掛けカバー部４Ｌは、少なくともソファー５０の左肘掛け５３Ｌの内側（右側）の側面を覆う。詳細には、本実施形態の左肘掛けカバー４Ｌは、左肘掛け５３Ｌの内側面、外側面、上面、前面、および後面を覆うことができる。以上のように、本実施形態のソファーカバー１は、座面カバー部２、背もたれカバー部３、右肘掛けカバー部４Ｒ、および左肘掛けカバー部４Ｌによって、ソファー５０の底面を除く外周を覆うことができる。
【００３４】
ソファーカバー１の本体における表面と裏面では、色およびデザインの少なくとも一方が異なっている。従って、使用者は、表面および裏面のうち、好みの色およびデザインの面を表側にして、ソファーカバー１をソファー５０に被せることができる。つまり、本実施形態のソファーカバーは、リバーシブルとして使用することができる。さらに、詳細は後述するが、本実施形態によると、表面および裏面のいずれが表側として使用された場合でも、ソファーカバー１のずれが、抜け止め部材２０（図２参照）によって適切に抑制される。
【００３５】
ソファーカバー１の下端部近傍には、収縮部８が全周に渡って設けられている。収縮部８には、例えばゴム等を用いることができる。ソファーカバー１がソファー５０に装着されると、収縮部８によって、ソファーカバー１の下端部が内側に向けて収縮する。その結果、ソファー５０に装着されたソファーカバー１の見栄えが良好となる。
【００３６】
ソファーカバー１は、本体の中央部に、抜け止め部材２０（図２参照）を保持する保持部１０を備える。詳細には、ソファーカバー１は、座面カバー部２と背もたれカバー部３の接続部５、座面カバー部２と右肘掛けカバー部４Ｒの接続部６Ｒ、および座面カバー部２と左肘掛けカバー部４Ｌの接続部６Ｌの少なくともいずれかに、保持部１０を備える。保持部１０は、抜け止め部材２０（図２参照）を保持する。一例として、本実施形態のソファーカバー１は、座面カバー部２と背もたれカバー部３の接続部５に、３つの保持部１０を備える。さらに、ソファーカバー１は、座面カバー部２と左右の肘掛けカバー部４Ｒ，４Ｌの接続部６Ｒ，６Ｌの各々に、保持部１０を１つずつ備える（図１では、左側の接続部６Ｌにおける保持部１０の図示は省略されている）。保持部１０の詳細については後述する。
【００３７】
図２を参照して、抜け止め部材の一例について説明する。本実施形態の抜け止め部材２０の形状は、真っ直ぐな円柱状である。しかし、抜け止め部材の形状を変更することも可能である。例えば、抜け止め部材は、角柱状（三角柱状、四角柱状等の多角柱状）であってもよい。また、抜け止め部材は、筒状（例えば、円筒状、角筒状等）であってもよい。抜け止め部材における軸に垂直な断面の形状を、台形状または三角形状等とした場合、抜け止め部材は、ソファー５０の隙間５５，５６Ｒ，５６Ｌからさらに抜け出しにくくなる。また、抜け止め部材は、真っ直ぐな形状でなく曲がっていてもよい。抜け止め部材２０の軸方向の長さは、１０ｃｍ〜２０ｃｍであることが望ましい。本実施形態では、抜け止め部材２０の軸方向の長さは約１５ｃｍとなっている。
【００３８】
本実施形態の抜け止め部材２０は、芯部２１と外周部２２を備える。芯部２１は、スポンジ等の発泡性樹脂によって形成された円柱状の部材である。外周部２２は、芯部２１よりも密度が高い発泡性樹脂によって形成されており、芯部２１の外周面を覆う。
【００３９】
本実施形態の抜け止め部材２０は、ソファー５０の表面に対する摩擦力を上昇させる滑り止め部２３を外周面に備える。一例として、本実施形態における滑り止め部２３は、外周部２２の外周面に形成された多数の凹凸を備えることで、摩擦力を上昇させている。しかし、滑り止め部の構成を変更することも可能である。例えば、抜け止め部材の外周部の素材を、摩擦力が高い素材（ゴム等）とすることで、滑り止め部が構成されてもよい。
【００４０】
図３〜図５を参照して、本実施形態の保持部１０について詳細に説明する。図３に示すように、保持部１０は、ソファーカバー１の本体の表裏を貫通する貫通孔１２を備える。抜け止め部材２０（図２参照）は、貫通孔１２に挿入されることで保持部１０に保持される。本実施形態では、１つの保持部１０は２つの貫通孔１２を備える。１つの抜け止め部材２０は、１つの保持部１０が備える２つの貫通孔１２に挿入されることで、それぞれの保持部１０に保持される。従って、図４および図５に示すように、本実施形態の保持部１０は、抜け止め部材２０を長手方向の中央部近傍を中心として略対称に保持することができる。よって、奇数個の貫通孔１２によって１つの抜け止め部材２０が保持される場合に比べて、抜け止め部材２０が安定して保持される。ただし、前述したように、１つの保持部１０が備える貫通孔１２の個数を変更することも可能である。
【００４１】
本実施形態の貫通孔１２は、ソファーカバー１の本体に形成された直線状の切り込みである。従って、他の形状の貫通孔が設けられる場合に比べて、貫通孔１２が目立ちにくい。図３に示す例では、座面カバー部２と背もたれカバー部３を接続する直線状の接続部５に対して交差するように、直線状の切り込みである貫通孔１２が形成されている。従って、使用者は、抜け止め部材２０を容易に複数（本実施形態では２つ）の貫通孔１２に挿入することができる。なお、図示していないが、座面カバー部２と肘掛けカバー部４Ｒ，４Ｌの接続部６Ｒ,６Ｌにおいても、貫通孔１２は、直線状の接続部６Ｒ，６Ｌに対して垂直に交差するように形成されている。
【００４２】
さらに、本実施形態では、貫通孔１２の縁部を補強する補強部１４が、それぞれの貫通孔１２に設けられている。従って、貫通孔１２の周囲におけるソファーカバー１の本体の強度の低下が、適切に抑制される。
【００４３】
本実施形態の補強部１４は、かがり縫いによって形成されている。従って、ソファーカバー１の洗濯等が容易であり、製造コストの増加も抑制される。なお、補強部１４を設ける場合、補強部１４の形成方法を変更することも可能である。例えば、まつり縫い等によって補強部１４が形成されてもよい。また、後述するように、ゴム等によって補強部１４が形成されてもよい。
【００４４】
また、本実施形態では、補強部１４と、貫通孔１２の周囲におけるソファーカバー１の本体では、色およびデザインの少なくとも一方が異なっている。従って、使用者は、貫通孔１２の位置を容易に把握することができる。なお、補強部１４は、抜け止め部材２０と共にソファー５０の隙間５５，５６Ｒ，５６Ｌ（図１参照）に差し込まれるので、ソファーカバー１の使用時には、補強部１４によって美感が損なわれることは無い。
【００４５】
図４および図５を参照して、本実施形態のソファーカバー１の使用方法について説明する。まず、使用者は、それぞれの保持部１０が有する２つの貫通孔１２に、抜け止め部材２０を挿入することで、抜け止め部材２０をそれぞれの保持部１０に装着する。次いで、使用者は、保持部１０に装着した抜け止め部材２０を、ソファー５０の隙間５５，５６Ｒ，５６Ｌ（図１参照）に差し込む。その結果、ソファーカバー１のずれが適切に抑制される。
【００４６】
図４は、使用者が本体の裏面Ｂ側から抜け止め部材２０を保持部１０に装着した状態を、裏面Ｂ側から見た斜視図である。図４に示すように、裏面Ｂ側から抜け止め部材２０が保持部１０に装着されると、抜け止め部材２０の長手方向両端部が裏面Ｂ側に露出される。抜け止め部材２０がソファー５０の隙間５５，５６Ｒ，５６Ｌに差し込まれると、裏面Ｂ側に露出した抜け止め部材２０の長手方向両端部の滑り止め部２３（図２参照）が、ソファー５０の表面に接触する。その結果、ソファーカバー１のずれが適切に抑制される。
【００４７】
また、図５は、使用者が本体の表面側から抜け止め部材２０を保持部１０に装着した状態を、裏面Ｂ側から見た斜視図である。図５に示すように、表面側から抜け止め部材２０が保持部２０に装着されると、抜け止め部材２０の中央部が裏面Ｂ側に露出される。抜け止め部材２０がソファー５０の隙間５５，５６Ｒ，５６Ｌに差し込まれると、裏面Ｂ側に露出した抜け止め部材２０の中央部の滑り止め部２３（図２参照）が、ソファー５０の表面に接触する。
【００４８】
以上のように、本実施形態によると、ソファーカバー１の表面側および裏面側のいずれの側から抜け止め部材２０が保持部１０に装着された場合でも、抜け止め部材２０の外周面（つまり、滑り止め部２３）の一部がソファー５０の表面に接触する。従って、保持部１０への抜け止め部材２０の装着作業が、非常に簡単である。また、使用者は、ソファーカバー１をリバーシブルとして使用することも可能である。
【００４９】
なお、１つの保持部１０に２つの貫通孔１２を設ける場合、２つの貫通孔１２の間隔は、抜け止め部材２０の軸方向の長さに応じて定めることが望ましい。本実施形態では、抜け止め部材２０の軸方向の長さをＬとすると、２つの貫通孔１２の間隔が、Ｌの３分の１以上、３分の２以下となるように定められる。従って、ソファーカバー１の表面側および裏面側のいずれの側から抜け止め部材２０が保持部１０に装着された場合でも、抜け止め部材２０の滑り止め部２３と、ソファー５０の表面の接触面積が確保される。
【００５０】
＜変形例＞
図６を参照して、前述した実施形態の変形例について説明する。図６に示す例では、保持部３０が備える貫通孔３２の形状は、柱状または筒状の抜け止め部材２０（図２参照）における、軸に垂直な断面の形状に対応している。詳細には、図２に例示した抜け止め部材２０の断面形状は円形であるため、貫通孔３２の形状も、抜け止め部材２０の断面形状に対応する円形に形成されている。従って、使用者は、より容易に抜け止め部材２０を貫通孔３２に挿入することができる。
【００５１】
また、図６に示す例では、貫通孔３２の縁部を補強する補強部３４は金属によって形成されている。詳細には、互いに係合する形状に形成された鳩目金具の２つの部材の各々が、貫通孔３２の表面側および裏面側の双方から嵌め合わされることで、補強部３４が形成されている。その結果、貫通孔３２の周囲の強度が適切に増加する。
【００５２】
なお、補強部３４の材質を変更することも可能である。例えば、補強部３４は、樹脂製またはゴム製等であってもよい。この場合、樹脂製またはゴム製等の鳩目部材によって補強部３４が形成されてもよい。また、前述した実施形態と同様に、かがり縫いまたはまつり縫いによって補強部３４が形成されてもよい。一例として、補強部３４は、かがり縫いによって形成された菊穴であってもよい。菊穴を補強部３４として用いることで、貫通孔３２の周囲の強度は適切に増加し、且つ、ソファーカバー１の洗濯等も容易となる。また、菊穴のデザインを工夫して美感を向上させることも容易である。
【００５３】
また、図６に示す例では、補強部３４と、貫通孔３２の周囲におけるソファーカバー１の本体では、色およびデザインの少なくとも一方が異なっている。この詳細については、前述した実施形態と同様であるため、説明を省略する。
【符号の説明】
【００５４】
１    ソファーカバー
１０，３０    保持部
１２，３２    貫通孔
１４，３４    補強部
２０    抜け止め部材
２３    滑り止め部
５０    ソファー
５１    座面
５２    背もたれ
５３Ｒ    右肘掛け
５３Ｌ    左肘掛け
【図１】
2019000470.tif 000003
【図２】
2019000470.tif 000004
【図３】
2019000470.tif 000005
【図４】
2019000470.tif 000006
【図５】
2019000470.tif 000007
【図６】
2019000470.tif 000008